(57)【特許請求の範囲】
【請求項１】
目部形成部を有する合成樹脂製のブランク部と、目部とから構成されるトルマリン粉末含有電磁波防止機器の製造方法であって、
前記ブランク部の内部に目部形成部を設けた合成樹脂製の前記ブランク部を形成し、
前記ブランク部の表面にトルマリン粉末含有材料を塗布又は印刷して前記ブランク部の表面を不透明としているが前記ブランク部の表面の一部を塗装又は印刷せず透明部とし、次に、
ブランク部の材料と相溶性の良い材料であって、且つラメ又はメタリックを混入した材料をブランク部内部の目部形成部にインサート成形して目部を形成することを特徴とするトルマリン粉末含有電磁波防止機器の製造方法。
【請求項２】
前項の方法において、加熱乾燥工程を更に有する請求項１記載のトルマリン粉末含有電磁波防止機器の製造方法。
【発明の詳細な説明】
【０００１】
【発明が属する技術分野】
我々の生活環境を取り巻く様々な家電製品、ＯＡ機器からは、身体に有害な電磁波が多量に発生している。この電磁波により発生したプラスイオンは、身体の細胞を弱らせるといわれており、この弱った細胞にマイナスイオンを照射することによって細胞膜の老化を防止することができるといわれている。本発明の方法により製造された製品は、トルマリン等の天然鉱石から発生するマイナスイオンを発生し、これにより頭痛、めまい、目の疲れ、筋肉の疲れ等の電磁波障害を防止する電磁波防止機器に関するものである。よって、本発明は、携帯電話、テレビ、電子レンジ、エアコン、ヘアードライア等の家電製品、あるいはパソコン、コピー機等のＯＡ機器に貼付して使用する電磁波防止機器の製造方法に関する。
【０００２】
【従来の技術】
従来から、電磁波からの影響を緩和すると同時に身体の周辺にマイナスイオンを供給できるようにしたもので、合成樹脂により形成されるプレートの一方に粒径０．５μ〜５０μの電気石粉を混合した塗料を塗布してトルマリン層を形成するプレート等が存在する（発明の名称「プレート」、特開平１１−２４４４００号公報等）。
【０００３】
又、これらのプレートの製造法については、分散剤を含有させた合成樹脂塗料に、ボールミル等を利用して電気石粉を擦り込むように圧力をかけて混ぜ合わせる方法が存在する（発明の名称「塗料」特開平１１−２７９４４５号公報等）。
【０００４】
しかし、従来のこの種電磁波防止機器であって、ブランク部と目部とを有するものにおいて、従来の製造方法は、ブランク部と目部とを別々に製作し、接着剤又は溶剤などで接合するか、又は目部をブランク部に強制的に圧入して組込んでいた。
【０００５】
しかし、これらの従来方法では、表面から見た場合、違和感があったり、目部が、薄肉のためブランク部に対して傾いて取付けられたりして外れやすいという欠点があった。
【０００６】
又、ブランク部の目部形成部に液体又は粉末状物質であるインキ又は塗料を充填する方法もあるが、この方法は加工工数がかかるという大きな問題があった。
【０００７】
【発明が解決しようとする課題】
従って、本発明が、解決しようとする問題点は、目部をブランク部に形成するにあたって目部とブランク部との違和感が無く、きちんと取付けが可能で、しかも製作工程の簡単な方法を開発することにある。
【０００８】
【課題を解決するための手段】
本発明は、通常のプラスチック加工技術によってブランク部を形成後、ブランク部の材料と相溶性の良い材料でブランク部内部の目部形成部に目部をインサート成形することを特徴とする電磁波防止機器の製造方法を提供する。
【０００９】
即ち、本発明は、
目部形成部を有する合成樹脂製のブランク部と、目部とから構成されるトルマリン粉末含有電磁波防止機器の製造方法であって、
前記ブランク部の内部に目部形成部を設けた合成樹脂製の前記ブランク部を形成し、
前記ブランク部の表面にトルマリン粉末含有材料を塗布又は印刷して前記ブランク部の表面を不透明としているが前記ブランク部の表面の一部を塗装又は印刷せず透明部とし、次に、
ブランク部の材料と相溶性の良い材料であって且つラメ又はメタリックを混入した材料をブランク部内部の目部形成部にインサート成形して目部を形成することを特徴とするトルマリン粉末含有電磁波防止機器の製造方法を提供する。
【００１０】
さらに、本発明は上記方法において、加熱乾燥工程を更に有するトルマリン粉末含有電磁波防止機器の製造方法を提供する。
【００１１】
【発明の実施の形態】
図１は、本発明方法により製作された機器の表面図である。ブランク部（１）と目部（２）が見えている。図２は、本発明方法により製作された機器の平面図である。ブランク部（１）が見えている。図３は、本発明方法により製作された機器の底面図である。ブランク部（１）が見えている。図４は、本発明方法により製作された機器の右側面図である。ブランク部（１）が見えている。
ブランク部の表面はトルマリン粉末含有材料で印刷又は塗装されており不透明となっているが、一部塗装せず透明部となっている。図５は、断面図である。目部（２）はブランク部に嵌合している。図６は、図５のＡ−Ａ部の拡大図である。ブランク部（１）の表面は、一部を除いて塗装されている。目部（２）は、ブランク部の内側に取付けられなおかつブランクの表面に近いところまで設けられている。
【００１２】
本発明方法は、まず、公知の方法によりその内部に目部形成部を設けた合成樹脂製のブランク部（１）を形成し、ブランク部表面にはトルマリン粉末含有材料を塗布又は印刷し、次にラメ又はメタリックを混入した材料をブランク部内部の目部形成部にインサート成形し、ブランク部裏面には文字又は図形印刷、カラー印刷等の印刷をし、加熱乾燥させて、完成する。
【００１３】
目部（２）は、ラメ又はメタリックを混入した材料で成形することにより、ブランク部の合成樹脂材料との相溶性が良く、できあがつた製品は強い衝撃を加えても目部（２）が脱落することがない。
【００１４】
又、表面にはトルマリン粉末含有材料を塗布又は印刷することができる。ブランク部の裏面には文字又は図形を印刷又はカラー印刷してもよく、その後乾燥のため熱を加えてもブランク部への目部の取付けはしっかりしており一切影響がない。
【００１５】
ブランク部の表面は曲面であるが、トルマリン粉末含有材料を塗布又は印刷しやすい形状となっている。
【００１６】
目部（２）は、非常に薄いが、ブランク（１）の材料に相溶性の良い材料でインサート成形されているので衝撃を加えても外れない。
【００１７】
又、ブランク部（１）の表面から見た場合、ラメ、メタリックが反映して美観が優れている。
【００１８】
【発明の効果】
以上説明したように本発明方法により製作された電磁波防止機器は、目部がブランク部の材料に相溶性の良い材料でインサート成形されているので衝撃を加えても外れない。又、表面から見た場合にも目部がブランク部に完全に密着しているので美観が損なわれることはない。
【図面の簡単な説明】
【図１】 図１は、本発明方法により製作された機器の表面図である。
【図２】 図２は、本発明方法により製作された機器の平面図である。
【図３】 図３は、本発明方法により製作された機器の底面図である。
【図４】 図４は、本発明方法により製作された機器の右側面図である。
【図５】 図５は、断面図である。
【図６】 図６は、図５のＡ−Ａ部の拡大図である。
【符号の説明】
１ ブランク部
２ 目部
【図１】
0004863415.tif 000002
【図２】
0004863415.tif 000003
【図３】
0004863415.tif 000004
【図４】
0004863415.tif 000005
【図５】
0004863415.tif 000006
【図６】
0004863415.tif 000007